(57)【要約】【課題】  携帯電話の振れの小さい回転しない振れとでき、首から外して手で操作する場合やバックやポケットに収納する場合には移動係留体がブラブラせず殆ど邪魔にならないあるいは邪魔にならないようにできる携帯電話等の携帯補助具を提供することを目的としている。【解決手段】  移動係留体２０２の下部に一体的に立ち下げられるように設けられた、０．２ｍｍ〜０．５ｍｍ厚程度の薄板部材かなる、折畳式携帯電話Ａの電話本体２の左右側部にヒンジ部３側（図では下方から）から凹み形成された図では上方端が行き止め形態とされた補助具取付部４ａ、４ｂにスライド形態で着脱可能に取り付けられる電話等取付部５と、この電話等取付部５の左右に設けられた、補助具取付部４ａ、４ｂに弱滑り止めスライド形態で嵌る凸部からなるスライド嵌り凸部６ａ、６ｂと、電話等取付部５の裏側に設けられたループ側面ファスナー７とからなっている。【選択図】図１
2008135997.tif 000002
【特許請求の範囲】
【請求項１】
首に掛ける首掛け部と、
この首掛け部を形成するないし該首掛け部の下部に設けられた紐部と、
この紐部を付勢巻き取り状態で引き出し引き込みして上下に移動可能とされあるいは該紐部を通して上下に移動可能とされ且つ好みの上下位置で留め置くことができる移動係留体と、
この移動係留体の下部に振れない形態ないし小さな振れに抑えられる形態で設けられた、携帯電話等の裏側に設けられた補助具取付部に下方側からスライド形態で着脱可能に取り付けられる電話等取付部と、とからなることを特徴とする携帯電話等の携帯補助具。
【請求項２】
携帯電話に取り付けた状態で移動係留体を携帯電話の筐体の範囲内にスライドさせるができるようにしてなることを特徴とする請求項１記載の携帯電話等の携帯補助具。
【請求項３】
首掛け部が首掛けループ形態であり、
前記首掛け部の前記首掛けループ形態を形成するために紐部の移動係留体からの出し形態が左右一対の右紐部位、左紐部位とからなり、前記紐部が前記移動係留体側に最大限行った状態において前記首掛け部ないし前記首掛け部および前記紐部によりハンドストラップを形成するストッパーを前記首掛け部ないし前記紐部に設けてなることを特徴とする請求項１、２いずれか記載の携帯電話等の携帯補助具。
【請求項４】
携帯電話取付部の面ファスナーが設けられてなることを特徴とする請求項１〜３いずれか記載の携帯電話等の携帯補助具。
【請求項５】
電話本体と、
この電話本体の裏側に設けられた該電話本体を主に首から下げるための携帯電話等の携帯補助具をスライド形態で着脱自在に取り付けられ補助具取付部と、とからなることを特徴とする携帯電話。
【請求項６】
携帯電話がディスプレーが設けてある開閉体と該開閉体を開閉自在に設けてなる電話本体とからなる折畳式携帯電話であって、前記開閉体の表側に太陽電池が設けられ、この太陽電池で得られた電気が充電されるバッテリーが設けられ、、前記開閉体が略直角状態で停止させることができ、この略直角停止状態が歩行動作程度の軽い身体動作による振動程度ではその停止状態を維持する停止強さであることを特徴とする請求項５記載の携帯電話。
【請求項７】
補助具取付部の長さが携帯電話等の携帯補助具の取付状態で該携帯電話等の携帯補助具をスライドさせて携帯電話本体の範囲内に略全体を入れることができるあるいは僅かにはみ出す程度に収まる長さとしてなることを特徴とする請求項５、６いずれか記載の携帯電話。
【発明の詳細な説明】
【技術分野】
【０００１】
本発明は、携帯電話、小型デジタルカメラなどの携帯電話等の携帯品（以下「携帯電話等」という）を首から下げる携帯電話等の携帯補助具および携帯電話等に関する。
【背景技術】
【０００２】
従来の付勢巻取り装置を有するネックストラップ装置には以下に述べるものがある。
（１）図１４示す携帯電話４９８の携帯補助具４９９が販売されている。
携帯電話等の携帯補助具４９９は発条の不勢力により巻取り付勢回転をするリール部位（図示せず）が内設された筐体５００と、この筐体５００の上部に空けられた紐引出し口５０１、紐引出し口５０２と、前記リール部位に重ね形態で巻き取られてなる平紐形態の首掛け紐５０３と、この首掛け紐５０３の一方の側が紐引出し口５０１に通され引き出されてなるループ形成部５０４ａ、首掛け紐５０３の他方の側が紐引出し口５０２に通され引き出されてなるループ形成部５０４ｂとからなる首掛けループ部５０５と、筐体５００の中央に設けられた指で押し込むとリール部位のロックが解除されて該リール部位が回転自在となり指を離すと付勢力により戻ってリール部位を回転しないようにロックするように動作するロック解除ボタン５０６と、筐体５００の下部に設けられた携帯品吊り掛け部５０７と、携帯電話４９８に取り付けるナス環５１０を有する吊り細紐５０８と、リール部位と筐体５００とからなるリール本体５０９（移動係留体）と、とからなっている。
携帯電話の携帯補助具４９９と同様な携帯の発明が特許文献１、２、３に開示されている。
（２）  特許文献１に、筐体と、この筐体に固定され内側に突出した固定軸と、この固定軸に内端を固定してなる発条と、この発条の外端を固定してその戻り付勢力により付勢巻取り回転するリール部位（巻取りドラム）と、このリール部位に両端を固定して２重巻き形態で該リール部位に巻取られる細帯状や丸紐状の首掛けループを形成してなる巻取り紐（帯紐）と、筐体の中央に設けられた、押すとロックが解除されて付勢巻取り状態となり離すとロックされてリール部位の回転が止められるようにしてなるロックボタン機構と、された筐体の下部から下げられたループ細紐からなる携帯電話などを吊り下げるためのループ細紐（松葉）と、とからなる発明が開示されている。
（３）  特許文献２に次の２つの発明が開示されている。
図３には二重重ねとされた首に掛けるループを形成しているストラップ２の両端が別々の引き出し口からケース内のストラップ巻取りドラム６に付勢巻き取られ、ロック・ロック解除機構の無い構成の携帯保持具が開示されている。
ロック・ロック解除機構については、図３のものと同じ巻取り機構の図２の説明において「図示しない固定機構によりストラップ２を固定する。引き出したストラップ２は、図１で説明したように、係止部材３で取り付けた小型機器に対するハンドストラップやショルダーストラップとして使用することができる。固定機構を解除することにより、ストラップ２は駆動バネ７の蓄勢力によってストラップ巻取ドラム６に自動的に巻き込まれ、ケース内に収納される。」と記載されているのみである。少なくとも図３の構造からはケース正面中央に押し込み式のロックボタンを設ける構造は想起できないものであり、図１２に示された操作レバー回動ロック・ロック解除構成のみである。
（４）  特許文献３に、巻取りケース２内のリール部位に首に掛けるループを形成するストラップ３を巻取り収納し、巻取りケース２にストラップ３の一方の側を通し外に出している穴２ａを設け、ストラップ３のもう一方の側を通し外に出している穴２ｂを穴２ａから離して設け、巻取りケース２の正面真中に収納ボタン４（ロック・ロック解除ボタン）を設けた発明が開示されている。
収納ボタン４によるロック・ロック解除機構については、「リール部位には、紐の巻き取り状態を調節するために適宜停止でき、首掛け紐３を任意の長さで設定できる収納ボタンが設けられている。そのために、リール部位は、渦巻きバネ、コイルバネ等により、首掛け紐３を巻取軸に完全巻き取り状態に設定しておき、前記巻取軸に設けた一方向回転停止爪（或いは、一方向クラッチ）を用いて、巻取軸を任意の位置で停止できるようにしておく。収納ボタン４は、上記一方向回転停止爪（或いは、一方向クラッチ）の解除に連動している。」「携帯電話１をバッグなどに収納するときには、収納ボタン４の押圧により、一方向回転停止爪（或いは、一方向クラッチ）を解除して、図３（Ｂ）に示すように、首掛け紐３の一部を残して、リール部位の巻取軸に巻き取る。この状態では、首掛け紐３が巻取ケース２にほとんど収納されて携帯電話１と巻取ケース２だけになる。携帯電話１を首に掛けるときには、巻取ケース２から首掛け紐３をつまみ出して適宜の長さで引っ張り出して（図３（Ａ））、首に掛け、その後、収納ボタン４をオンして再度巻き取るなどして首掛け紐３の長さを調節すればよい。」「首掛け紐３の巻き取り駆動は、渦巻きバネ或いはコイルバネ等を用いた機械式の例を示したが、モータとスイッチを用いた電気式としてもよいことは言うまでもない。」という記載のみとなっており、その機構について図示は何らされていない。
【０００３】
【特許文献１】実用新案登録第３０７０７８９号公報
【特許文献２】特開平９−２９９１２８号公報
【特許文献３】特開２００２−２４７１６７号公報
【非特許文献１】特になし
【発明の開示】
【発明が解決しようとする課題】
【０００４】
上述した従来技術はいずれも、筐体の下部に設けた掛け部に携帯電話に取り付けた吊り細紐を掛ける、あるいは筐体の下部に設けられた吊り細紐に携帯電話を取り付けるという形態での使用となるものであり、このような形態では以下に述べるような欠点を有するものであった。
（１）  携帯電話をリール本体（移動係留体）の下方に４ｃｍ〜６ｃｍの吊り細紐で吊り下げる形態であるので、リール本体を首に付くような部位ないし首に近い部位まで上げ留め置いて場合においては、リール本体は小さな振れか殆ど振れない状態にあっても、吊り細紐により携帯電話が左右に前後に大きく激しく振れる、携帯電話が回転してしまうという欠点を有するものであった。
（３）  吊り細紐で携帯電話の荷重を一心に受け吊り続ける形態であり、振れや回転が常に生じる形態であるので、吊り細紐の磨耗が激しくその寿命が短くなってしまうという欠点を有するものであった。
（４）首から外した場合は首掛け紐は全部筐体内に収まるのであるが、リール本体は４ｃｍ〜６ｃｍの吊り細紐に繋がれただけの四方八方に無軌道にぶらつき動く状態であり、携帯電話をバックに収納しての取り出し、ポケットに収納しての取り出しの邪魔になったりするという欠点を有するものである。
（５）携帯電話の移動係留体への取り付けが小さなナス環などの取付金具によるものなので、お年寄りや指の不自由なひとなどは素早く軽快に取り付け取り外しができ難いという欠点を有するものであった。
（６）首から外した場合は首掛け紐は全部筐体内に収まるのであるが、首から吊らないで手に持っての操作においては落下の危険を防ぐために、別途ハンドストラップを携帯電話に取り付けなれればならないという欠点を有するものであった。
（７）携帯電話がちょっとした身体の動きで動いてしまうので、折畳式携帯電話を直角に開いてハンズフリーでテレビを看る、文章を読むなどのことはできないという欠点を有するものであった。
（８）首から下げた携帯電話を振れないようにするためには、電話本体の裏側に粘着剤付きループ側面ファスナーを貼り付け、着衣側にフック側面ファスナーを設けて、この面ファスナーの係着により携帯電話を着衣に振れないように保持する方法が考えられるが、携帯電話の裏面をエチルアルコールや中性洗剤などで拭き取って脂分などを除去する作業が必要であること、面ファスナーの貼り付けが真っ直ぐ行かないで傾いた貼り付けになってしまう可能性が大きいこと、置き型の充電器へのセットができなくなってしまうことがあること、バッテリーカバーと電話本体にわたって面ファスナーが貼り付けられて電池交換の場合は面ファスナーを剥がし新しいものを新に貼り付けなければならない、などの欠点を有するものであった。
【０００５】
本発明は以上のような従来技術の欠点に鑑みてなされたものであって、首から下げた状態で上下に移動自在にでき且つ好みの上下位置に係留でき、リール本体などの移動係留体を首に近い部位まで上げ留め置いた状態においては携帯電話の振れの小さい回転しない振れとでき、首から外して手で操作する場合やバックやポケットに収納する場合には移動係留体がブラブラせず殆ど邪魔にならないあるいは邪魔にならないようにできる携帯電話等の携帯補助具を提供することを目的としている。
・  また本発明の他の目的は、首から下げた状態で上下に移動自在にでき且つ好みの上下位置に係留でき、リール本体などの移動係留体を首に近い部位まで上げ留め置いた状態においては携帯電話の振れを小さい回転しない振れとでき、首から外して手で操作する場合やバックやポケットに収納する場合には移動係留体がブラブラせず殆ど邪魔にならないあるいは邪魔にならないようにできるとともに、首から外した状態においてはハンドストラップが形成されるようにしてなる携帯電話等の携帯補助具を提供することを目的としている。
・  また本発明の他の目的は、首から下げた状態で上下に移動自在にでき且つ好みの上下位置に係留でき、リール本体などの移動係留体を首に近い部位まで上げ留め置いた状態においては携帯電話の振れを小さい回転しない振れとでき、首から外して手で操作する場合やバックやポケットに収納する場合には移動係留体がブラブラせず殆ど邪魔にならないあるいは邪魔にならないようにできるとともに、携帯電話の裏側にに面ファスナーを貼りつけることなく該携帯電話の裏側に面ファスナーを取り付けることができる携帯電話等の携帯補助具を提供することを目的としている。
・  また本発明の他の目的は、リール本体などの移動係留体を有する携帯電話等の携帯補助具を略一体化的形態で着脱自在且に取り付けられるとともに、横幅の相違する機種でも携帯電話等の携帯補助具を変えることなく使用を可能とする携帯電話を提供することを目的としている。
【０００６】
本発明の前記ならびのそのほかの目的と新規な特徴は次の説明を添付図面と照らし合わせて読むと、より完全に明らかになるであろう。ただし、図面はもっぱら解説のためであって、本発明の技術的範囲をそれらに限定するものではない。
【課題を解決するための手段】
【０００７】
上記目的を達成するために本発明は次に述べるような構成となっている。
（請求項１記載の発明）
首に掛ける首掛け部と、この首掛け部を形成するないし該首掛け部の下部に設けられた紐部と、この紐部を付勢巻き取り状態で引き出し引き込みして上下に移動可能とされあるいは該紐部を通して上下に移動可能とされ且つ好みの上下位置で留め置くことができる移動係留体と、この移動係留体の下部に振れない形態ないし小さな振れに抑えられる形態で設けられた、携帯電話等の裏側に設けられた補助具取付部に下方側からスライド形態で着脱可能に取り付けられる電話等取付部とで携帯電話等の携帯補助具を構成している。
（請求項２記載の発明）
請求項１記載の発明の構成において、携帯電話に取り付けた状態で移動係留体を携帯電話の筐体の範囲内にスライドさせるができるようにしてなる携帯補助具を構成している。
（請求項３記載の発明）
請求項１、２いずれか記載の発明の構成において、首掛け部が首掛けループ形態であり、前記首掛け部の前記首掛けループ形態を形成するために紐部の移動係留体からの出し形態が左右一対の右紐部位、左紐部位とからなり、前記紐部が前記移動係留体側に最大限行った状態において前記首掛け部ないし前記首掛け部および前記紐部によりハンドストラップを形成するストッパーを前記首掛け部ないし前記紐部に設けてなる携帯電話等の携帯補助具を構成している。
（請求項４記載の発明）
請求項１〜３いずれか記載の発明の構成において、携帯電話取付部の面ファスナーが設けられてなる携帯電話等の携帯補助具を構成している。
（請求項５記載の発明）
電話本体と、この電話本体の裏側に設けられた該電話本体を主に首から下げるための携帯電話等の携帯補助具をスライド形態で着脱自在に取り付けられ補助具取付部とで携帯電話を構成している。
（請求項６記載の発明）
請求項５記載の発明の構成において、携帯電話がディスプレーが設けてある開閉体と該開閉体を開閉自在に設けてなる電話本体とからなる折畳式携帯電話であって、前記開閉体の表側に太陽電池が設けられ、この太陽電池で得られた電気が充電されるバッテリーが設けられ、、前記開閉体が略直角状態で停止させることができ、この略直角停止状態が歩行動作程度の軽い身体動作による振動程度ではその停止状態を維持する停止強さである携帯電話を構成している。
（請求項７記載の発明）
請求項５、６いずれか記載の発明の構成に加えて、補助具取付部の長さが携帯電話等の携帯補助具の取付状態で該携帯電話等の携帯補助具をスライドさせて携帯電話本体の範囲内に略全体を入れることができるあるいは僅かにはみ出す程度に収まる長さとしてなる携帯電話を構成している。
【発明の効果】
【０００８】
以上の説明から明らかなように、本発明にあっては次に列挙する効果が得られる。
（請求項１記載の発明の効果）
首に掛ける首掛け部と、この首掛け部を形成するないし該首掛け部の下部に設けられた紐部と、この紐部を付勢巻き取り状態で引き出し引き込みして上下に移動可能とされあるいは該紐部を通して上下に移動可能とされ且つ好みの上下位置で留め置くことができる移動係留体と、この移動係留体の下部に振れない形態ないし小さな振れに抑えられる形態で設けられた、携帯電話等の裏側に設けられた補助具取付部に下方側からスライド形態で着脱可能に取り付けられる電話等取付部とで携帯電話等の携帯補助具を構成しているので、次に述べるような効果を奏する。
すなわち、
「移動係留体の下部に振れない形態ないし小さな振れに抑えられる形態で設けられた携帯電話等に着脱可能且つスライド可能にスライド形態で取り付けられる電話等取付部」を設けた構成によって、移動係留体を首に近い部位まで上げ留め置いた状態においては携帯電話は移動係留体と略一体的な形態とされているので、携帯電話が移動係留体と無関係に振れることはなくその振れを小さい回転しない振れとでき、首から外して手で操作する場合やバックやポケットに収納する場合には、移動係留体が四方八方に無軌道にぶらつくことがないので、ポケットやバックに入れての携帯（携行）や手に持っての操作がで移動係留体が殆ど邪魔にならずに行うことができるとう効果を奏する。
また、スライド距離を長くすることにより、移動係留体を携帯電話の近接した部位ないし携帯電話の筐体範囲内にその全部なり一部を隠すような、突き出しの小さいないし隠れた形態およびぶらつかない形態とできるので、ポケットやバックに入れての携帯（携行）や手に持っての操作がで移動係留体が殆ど邪魔にならずに行うことができるという効果を奏する。
また、スライド形態で携帯電話に取り付けられるので、スライド形態で取外すことができ、携帯電話への取りつけ取り外しが素早く簡単にできるという効果を奏する。
（請求項２記載の発明の効果）
請求項１記載の発明の構成において、携帯電話に取り付けた状態で移動係留体を携帯電話の筐体の範囲内にスライドさせるができるようにしてなる携帯補助具を構成しているので、次に述べるような効果を奏する。
すなわち、
請求項１記載の発明の効果と同様な効果を奏するとともに、スライドさせて移動係留体を完全に携帯電話の筐体範囲内とすることができるので、ポケットやバックに入れての携帯や手に持っての操作がで移動係留体を殆ど邪魔に感じることなく行うことができるとともに、手に持った状態では携帯電話等の携帯補助具が殆ど周囲の人からは見えない状態で操作できるという効果を奏する。
（請求項３記載の発明の効果）
請求項１、２いずれか記載の発明の構成において、首掛け部が首掛けループ形態であり、前記首掛け部の前記首掛けループ形態を形成するために紐部の移動係留体からの出し形態が左右一対の右紐部位、左紐部位とからなり、前記紐部が前記移動係留体側に最大限行った状態において前記首掛け部ないし前記首掛け部および前記紐部によりハンドストラップを形成するストッパーを前記首掛け部ないし前記紐部に設けてなる携帯電話等の携帯補助具を構成しているので、次に述べるような効果を奏する。
すなわち、
請求項１、２いずれか記載の発明の効果と同様な効果を奏するとともに、紐部を移動係留体側に最大限行った状態においてもハンドストラップを形成する部位が移動係留体外に残る形態であるので、首に掛けずに手に持っての操作を安全に行うために新にハンドストラップを取り付ける必要がないという効果を奏する。
従来技術においては移動係留体（錘）がぶらついてしまう形態であるのに対して、本発明は紐なり平紐（バンド形態を含む）形態のみ（錘が無い）ハンドストラップがぶらつくものであり、その邪魔になる加減は従来技術に比べてはるかに軽微であるという効果を奏する。
（請求項４記載の発明の効果）
請求項１〜３いずれか記載の発明の構成において、携帯電話取付部の面ファスナーが設けられてなる携帯電話等の携帯補助具を構成しているので、次に述べるような効果を奏する。
すなわち、
請求項１、２、３いずれか記載の発明の効果と同様な効果を奏するとともに、携帯電話等の携帯補助具の側に面ファスナーを設けた構成としたことにより、携帯電話の側に粘着剤による面ファスナーの貼り付け作業を使用者が行わなくてよい、面ファスナーを真っ直ぐ綺麗に設けることができる、バッテリー交換のときには携帯電話等の携帯補助具を携帯電話から外せばよく、面ファスナーを剥がす必要ない、置き型の携帯電話充電器での充電の際に携帯電話等の携帯補助具が邪魔になる場合は外して充電ができるという効果を奏する。
また、面ファスナーが携帯電話の裏側に設けられた構成により、着衣側に面ファスナーを設けることにより、面ファスナ同士を係着させて携帯電話を着衣に振れない下降しないように係止することが可能となり、腹部あたりの上半身下方に携帯電話を振れない下降しないように留め置くことができ、携帯電話を直角に開いた状態のままテレビ観賞や読書などがハンドフリー状態で享受できる、携帯電話を着衣に保持しイヤホンを耳につけたまま音楽を聞きながら軽いジョキング程度の軽い動作が行える、着衣側で携帯電話の重量の殆どを受け状態として首掛け部および紐部は携帯電話が倒れない用に支持している殆ど無負荷の状態とできるので首や肩の凝らない携帯を実現するという効果を奏する。
また、首に下げた携帯状態において携帯電話を表面を常に安定して明りに晒し状態にしておけるので、バッテリーに充電するための太陽電池を設けた携帯電話においては、身体に装着したまま無操作の手出し無しの意識なしで常に長時間充電が行われる状態を実現して、電源からの充電を殆ど行わなくてもよい、バッテリーの電気が切れても明るい場所にいれば、しばらくたつと使用可能状態とでる携帯電話の使用形態を可能とするという効果を奏する。
例えば、携帯電話でレシピを看ながら料理をする、携帯電話を上半身下方に保持したまま身体を横にできる、ＧＳＰをハンドフリー状態で見ながら歩くことができるなど、携帯電話の多種多様な機能を殆ど最良な形態で享受できるようになるという効果を奏する。
（請求項５記載の発明の効果）
電話本体と、この電話本体の裏側に設けられた該電話本体を主に首から下げるための携帯電話等の携帯補助具をスライド形態で着脱自在に取り付けられ補助具取付部とで携帯電話を構成しているので、次に述べるような効果を奏する。
すなわち、
請求項１〜４に記載の発明の携帯電話等の携帯補助具を素早く容易にスライドさせて取り付け且つスライドさせて素早く取り外すことができるという効果を奏する。
また、補助具取付部を電話本体の裏側に設けた構成としたので、幅の相違する多種類の携帯電話に共通した規格の補助具取付部とすることが可能となり、携帯電話を変えるごとに携帯電話等の携帯補助具を購入したり添付したりすることをしなくてすみ、経済的負担の軽減および資源の浪費を軽減するという効果を奏する。
（請求項６記載の発明の効果）
請求項５記載の発明の構成において、携帯電話がディスプレーが設けてある開閉体と該開閉体を開閉自在に設けてなる電話本体とからなる折畳式携帯電話であって、前記開閉体の表側に太陽電池が設けられ、この太陽電池で得られた電気が充電されるバッテリーが設けられ、、前記開閉体が略直角状態で停止させることができ、この略直角停止状態が歩行動作程度の軽い身体動作による振動程度ではその停止状態を維持する停止強さである携帯電話を構成しているので、次に述べるような効果を奏する。
すなわち、
請求項５記載の発明の効果と同様な効果を奏するとともに、特に請求項４記載の面ファスナーのついた携帯電話の携帯補助具を取り付けることにより、腹部あたりの上半身下方に携帯電話を振れない下降しないように留め置くことができ、携帯電話を直角に開いた状態のままテレビ観賞や読書などがハンドフリー状態で享受できる、携帯電話を着衣に保持しイヤホンを耳につけたまま音楽を聞きながら軽いジョキング程度の軽い動作が行える、着衣側で携帯電話の重量の殆どを受け状態として首掛け部および紐部は携帯電話が倒れない用に支持している殆ど無負荷の状態とできるので首や肩の凝らない携帯を実現するとともに、首に下げた携帯状態において携帯電話を表面を常に安定して明りに晒し状態にしておけるので、バッテリーに充電するための太陽電池を設けた携帯電話においては、身体に装着したまま無操作の手出し無しで常に長時間充電が行われる状態を実現して、電源からの充電を殆ど行わなくてもよい、バッテリーの電気が切れても明るい場所にいれば、無操作の手出し無しの意識無しでしばらくたつと使用可能状態とできる携帯電話の使用形態を可能とするという効果を奏する。
（請求項７記載の発明の効果）
請求項５、６いずれか記載の発明の構成に加えて、補助具取付部の長さが携帯電話等の携帯補助具の取付状態で該携帯電話等の携帯補助具をスライドさせて携帯電話本体の範囲内に略全体を入れることができるあるいは僅かにはみ出す程度に収まる長さとしてなる携帯電話を構成しているので、次に述べるような効果を奏する。
すなわち、
請求項５、６いずれか記載の発明と同様な効果を奏するとともに、携帯電話等の携帯補助具をスライドさせて携帯電話の筐体範囲内に全部あるは僅かにはみ出た状態にしての、バックやポケットへ収納しての携行や手に持っての操作を可能にでき、携行性と操作性が向上するという効果を奏する。
【発明を実施するための最良の形態】
【０００９】
以下、図面に示す発明を実施するための最良の形態により、本発明を詳細に説明する。但し、発明をそれらのみに限定するものではない。
また、後述する実施の形態の説明にあたって前述した実施の形態と同一構成部分には同一符号を付して重複する説明を省略する。
【００１０】
＜第１の実施の形態＞
図１〜図４に示す本発明を実施するための最良の第１の実施の形態において１は携帯電話等の携帯補助具であって、携帯電話等の携帯補助具１は首に掛ける首掛けループに形成される首掛け部２００と、この首掛け部２００を形成する１本の薄平紐部材からなる左紐部２０１ａ、右紐部２０１ｂと、
左紐部２０１ａ、右紐部２０１ｂを付勢巻き取り状態で該２０１ａを左引き出し口２０２ａから該２０１ｂを右引き出し口２０２ｂから引き出し引き込みして上下に移動可能とされ且つ好みの上下位置で留め置くことができるロックＯＮ・ＯＦＦ機能付き付勢巻取りリール構造の移動係留体２０３と、
この移動係留体２０２の下部に一体的に立ち下げられるように設けられた、０．２ｍｍ〜０．５ｍｍ厚程度の薄板部材かなる、折畳式携帯電話Ａの電話本体２の左右側部にヒンジ部３側（図では下方から）から凹み形成された図では上方端が行き止め形態とされた補助具取付部４ａ、４ｂにスライド形態で着脱可能に取り付けられる電話等取付部５と、
この電話等取付部５の左右に設けられた、補助具取付部４ａ、４ｂに弱滑り止めスライド形態で嵌る凸部からなるスライド嵌り凸部６ａ、６ｂと、
電話等取付部５の裏側に設けられたループ側面ファスナー７とからなっている。
移動係留体２０３の電話等取付部５との位置関係は、図のように後部側が最良であるが、移動係留体２０３と電話等取付部５の間の狭くしてなる首部９を撓りる形態とすることにすれば、中央部や前部側の位置とするのもよい。
【００１１】
図４に示すように移動係留体２０３は次のような構成となっている。
裏側が全面開口された筐体２０５と、
この筐体２０５の表板の中心に設けられた筒部２０６と、
この筒部２０６に内端を固定して設けられた発条２０７と、
この発条２０７を内側にしてその外端を固定させて該２０７の巻取り不勢力により付勢巻取り回転するリール部位２０８と、
このリール部位２０８に重ね状態で巻取られた一本の紐から形成された左紐部２０１ａ、右紐部２０１ｂと、
筐体２０５の上部の左側に設けられた左紐部２０１ａを引き出し引き込む左引き出し口２０２ａ、筐体２０５の上部の右側に設けられた右紐部２０１ｂを引き出し引き込む右引き出し口２０２ｂと、
左引き出し口２０２ａの内側部位に外側に突出するように設けられた紐部２０１を受ける紐受突起２０４ａ、右引き出し口２０２ｂの内側部位に外側に突出するように設けられた紐受突起２０４ａとで紐部２０２を受ける紐受突起２０４ｂと、
筒部２０６の貫通孔２０９と、
貫通孔２０９に筐体２０５を摘んだ指で押し込み可動可能に入れられた中空形態の押し込みボタン部２１０、この押し込みボタン部２１０の背部に該２１０と一体的に設けられた広鍔形態のリール部位２０８に当接してその付勢回転を止めるロック板２１１とからなるロック体２１２と、
押し込みボタン部２１０の内部に設けられた押し出し付勢手段である圧縮コイルバネ２１３と、
筐体２０５の裏側開口を接着や溶着などにより塞ぐ裏板２１４と、とからなっている。
筐体２０５（リール本体、移動係留体本体）を指で摘み、その指で押し込みボタン部２１０を押し込むと圧縮コイルバネ２１３の付勢力に抗してリール部位２０８に付勢当接していたロック板２１１が移動してリール部位２０８から離れロック状態が解除される。押し込みボタン部２１０を押し込んだ状態のまま筐体２０５を上下に移動操作を自在に行うことができる。押し込みボタン部２１０を開放すると圧縮コイルバネ２１３の押し出し付勢力によりロック板２１１がリール部位２０８に付勢当接して発条２０７による付勢巻取り回転を止めロックして、その部位に筐体２０５を止め置く（係留する）。
紐受突起２０４ａ、２０４ｂにより紐部２０１は最大巻き取り状態でも筐体２０５から少し離れた状態となっているので、紐部２０１を指で確りと掛け摘みすることが簡単にでき、紐部２０１の摘み引き出し操作がし易い。
携帯電話Ａの表側となる開閉体８にはディスプレーが設けられている。
リール部位２０８は紐部を巻き取り収納するように図において上下に仕切り壁を有しているが、この仕切り壁の両壁ないし上部壁を設けない構成とするのもよい。このような構成とすることにより、筐体をより薄いものとできる。
【００１２】
図３において、着衣の前立て部位に、フック側面ファスナー１１を表側に設け、裏側にクリップ（図示せず）を設けた携帯品振れ止め保持具１２を係止している。
首から下げた携帯品等の携帯補助具１を装着した携帯電話Ａを携帯品振れ止め保持具１２の位置まで下ろし、フック側面ファスナー１１にループ面ファスナー７を係着させ携帯電話Ａを着衣上に振れないように保持している。
【００１３】
＜第２の実施の形態＞
図５に示す本発明を実施するための最良の第２の実施の形態において前記第１の実施の形態と主に異なる点は、紐部２０１で該紐部２０１が最大限リール部位２０８に巻き取られた状態において、筐体２０５の外側にハンドストラップ部位が残り形成されるように、左紐部２０１ａと右紐部２０１ｂの部位にハンドストラップ形成止め部品２１９ａ、２１９ｂを設け、電話等取付部５を携帯電話Ａより幅の狭い形態としてなる携帯電話等の携帯補助具１５を形成した点にある。
携帯電話Ａの裏側には該裏側の横幅よりある程度狭い形態の外側部にスライド嵌り凸部６ａ、６ｂが嵌る終端が止め構造となった凸部スライド嵌り凹み部１６ａ、１６ｂが形成された１対のレール体からなる補助具取付部１７が形成されている。
補助具取付部を電話本体よりもある程度幅の狭い形態とすることにより、機種の違う携帯電話においても補助具取付部を規格化された共通構造とすることが可能となり、携帯電話等の携帯補助具をどの種類の携帯電話にでも装着できるようにすることができる。
【００１４】
＜第３の実施の形態＞
図６、図７に示す本発明を実施するための最良の第３の実施の形態において前記第１の実施の形態と主に異なる点は移動係留体を、巻取り部２３０ａ、１３０ｂを有する２層リール形式のリール部位２３１とし、巻取り部２３０ａ、１３０ｂには直径が略１ｍｍ〜３ｍｍ太さの左紐部２３２ａ、右紐部２３２ｂが巻かれて紐部２３２を形成し、左引出し口２０２ａから引き出された左紐部２３２ａの先端には着脱パーツ２３３の雌パーツ２３３ａが取り付けられ、右引出し口２０２ｂから引き出された右紐部２３２ｂの先端には着脱パーツ２３３の雌パーツ２３３ａが取り付けられ、１０ｍｍ幅の平紐ないし平ソフトゴム紐からなる首掛け部２３４の両先端には雌パーツ２３３ａに連結される雄パーツ２３３ｂ、２３３ｂが設けられ、左紐部２３２ａ、右紐部２３２ｂに着脱自在に連結されるようになっていて、押し込みボタン部２１０を裏側に配した構成とした移動係留体２３５とし、電話等取付部を平プレート形態の電話等取付部２０とし該２０の左右側端部位をスライド嵌り部２１ａ、２１ｂとした携帯電話等の携帯補助具２２を形成した点にある。
雌パーツ２３３ａと雄パーツ２３３ｂは着脱自在に連結され、略２ｋｇの引張り負荷がかかると外れる安全パーツとなっている。
首掛け部２３４の長さ分だけ左紐部２３２ａ、右紐部２３２ｂを短くでき、移動係留体の小型化を実現できる。
左紐部２３２ａ、右紐部２３２ｂは同一方向でリール部位２３１に巻き取られている。
携帯電話Ａの裏側には該裏側の横幅よりある程度狭い形態の内側部にスライド嵌り部２１ａ、２１ｂが嵌る終端が止め構造となったスライド嵌り凹み部２４ａ、２４ｂが形成された１対のレール体からなる補助具取付部２５が形成されている。
補助具取付部２５はバッテリーカバー２６に形成され部位と電話本体２に形成された部位とで構成されている。
【００１５】
＜第４の実施の形態＞
図８に示す本発明を実施するための最良の第４の実施の形態において前記第３の実施の形態と主に異なる点は、移動係留体を移動係留体２９とした携帯電話等の携帯補助具３０とした点にある。
移動係留体２９は、
開口容器型の外駒３１と、
この外駒に可動可能に填め込まれた内駒３２と、
外駒３１の上下方向に貫通した間隔を空けて設けられた右紐通し部３３ａ、左紐通し部３３ｂと、
内駒３２に設けられた設けられた右紐通し部３３ａ、左紐通し部３３ｂに通される紐をロックするロック部（図示せず）と、
内駒３２の中央に形成されたスプリング入れ部に入れられた該３２を押し出し付勢状態とする圧縮コイルバネ（図示せず）と、とからなっている。
右紐通し部３３ａ、左紐通し部３３ｂには１ｍｍ〜３ｍｍ太さ程度の左紐部３４ａ、右紐部３４ｂが通され、その上方に出た端には雌パーツ２３３ａがそれぞれ取り付けられ、下方に垂れ出た部位は垂れループ部３５を形成されて先端は合わされて移動係留体２９の横に設けられた紐部止め取付部３６に止められている。
リール部位２０８は紐部を巻き取り収納するように図において上中下に仕切り壁を有しているが、この仕切り壁の上下両壁ないし上部壁を設けない構成とするのもよい。このような構成とすることにより、筐体をより薄いものとできる。
右紐通し部３３ａ、左紐通し部３３ｂの垂れループ部位３６には２本を合わせるようにゴム製リング（オイルシールゴムリングを使用）からなる指掛けリング３７が設けられ、この指掛けリング３７の上方に右紐通し部３３ａ、左紐通し部３３ｂの昇り降り部位の４本の紐を通してなるゴム製リングからなる絡み防止リング３８が設けられている。
ゴム製リングとすることにより、携帯電話にぶつかっても音の生じないという効果を奏する。技術思想は携帯電話にぶつかっても音の発生しないないし微音である衝突音非発生部材を指掛けリングとしたところにある。
【００１６】
＜第５の実施の形態＞
図９に示す本発明を実施するための最良の第５の実施の形態において前記第３の実施の形態と主に異なる点は、補助具取付部２５を携帯電話Ａとは別体の形態である補助具取付部４２としてなる携帯電話等の携帯補助具４３を形成した点にある。
補助具取付部４２には粘着剤が設けられた粘着部４４を設けている。
【００１７】
＜第６の実施の形態＞
図１０に示す本発明を実施するための最良の第６の実施の形態において前記第１の実施の形態と主に異なる点は、筐体２０５から引き出された紐部２３８は一本の紐からなり、紐部２３８の端にはクリップ２３９を設け、紐部２３８が首掛け部２４０を形成してなる携帯電話等の携帯補助具４７を形成した点にある。
図１０の右図のように紐部２３８を首に回してクリップ２３９を着衣の前立て部位などに止めて、携帯電話Ｋは胸ポケットに入れる、あるいは携帯品振れ止め保持具１２に係止保持して携帯（携行）する。
【００１８】
＜第７の実施の形態＞
図１１に示す本発明を実施するための最良の第６の実施の形態において前記第３の実施の形態と主に異なる点は、移動係留体２３５と電話等取付部２０を分離した形態とし、移動係留体２３５の下部に２つのフック５０ａ、５０ｂを設け、電話等取付部２０の首部９の上部にフック５０ａ、５０ｂに掛るフック掛り穴５１ａ、５１ｂを設けてなる携帯電話等の携帯補助具５２を形成した点にある。
フック５０ａ、５０ｂを電話等取付部２０の側に設け、フック掛り穴５１ａ、５１ｂを移動係留体２３５の側に設けた形態もよい。
このような、僅かな振れが生じる取り付け形態も「リール本体などの移動係留体を有する携帯電話等の携帯補助具を略一体化的形態で着脱自在且に取り付けられる」とい技術的範疇に入るものである。
【００１９】
＜第８の実施の形態＞
図１２に示す本発明を実施するための最良の第７の実施の形態において５５は折畳式の携帯電話であって、この携帯電話５５は内側に操作ボタンを有する電話本体２と、この電話本体２にヒンジ部３により開閉自在に設けられたディスプレーを内側に有する開閉体８と、電話本体２の裏側に設けられた該２の横幅よりある程度狭い形態の内側部に第３の実施の形態の携帯電話等の携帯補助具２２のスライド嵌り部２１ａ、２１ｂが嵌る終端が止め構造となったスライド嵌り凹み部２４ａ、２４ｂが形成された１対のレール体からなる補助具取付部２５と、バッテリー５６と、開閉体８の表に設けられた太陽電池５７と、この太陽電池により発生した電気を前記バッテリー５６に充電する様にするための充電制御部５８と、とからなり、開閉体８が略直角状態で停止させることができ、この略直角停止状態が歩行動作程度の軽い身体動作による振動程度ではその停止状態を維持する停止強さである、以上のような構成となっている。
【００２０】
＜第９の実施の形態＞
図１３に示す本発明を実施するための最良の第９の実施の形態において前記第８の実施の形態と主に異なる点は、第２の実施の形態の携帯電話等の携帯補助具１５のスライド嵌り部６ａ、６ｂが嵌る終端が止め構造となったスライド嵌り凹み部１６ａ、１６ｂが形成された補助具取付部１７を設けてなる携帯電話６０を形成した点にある。
スライド嵌り部の形態には上記以外にも以下のような形態が考えられる。
電話本体の裏側に幅広の凹み部を形成しその両側に凹み形態のスライド嵌り部を設ける形態。
電話本体の裏側に幅広長い形態の凸平部を設け、この凸平部の下方からスライド挿入部となる穴を形成し、携帯電話等の携帯補助具の電話等取付部をスライド挿入部に挿入する折り返し形態に形成された挿入部を設ける形態。
穴形態のスライド嵌り部は平穴形態、２つ穴形態などがあり、電話等取付部もこれに対応した形態となる。
【産業上の利用可能性】
【００２１】
本発明は携帯電話などの携帯補助具や携帯電話を製造する産業で利用される。
【図面の簡単な説明】
【００２２】
【図１】本発明を実施するための最良の第１の実施の形態の携帯電話に装着し紐部を引き出した状態の正面図、その右側面図、その背面図および紐部を全部引き込み携帯電話の範囲ないにスライドさせた状態の背面図。
【図２】本発明を実施するための最良の第１の実施の形態の紐部を引き出した状態の正面図、その右側面図、その背面図、紐部を全部引き込んだ状態の平面図およびその底面図。
【図３】本発明を実施するための最良の第１の実施の形態の使用状態例図。
【図４】本発明を実施するための最良の第１の実施の形態の移動係留体の内部構造を示すロック状態時の断面図、ロック解除状態の断面図および裏板を取り外した状態の背面図。
【図５】本発明を実施するための最良の第２の実施の形態の携帯電話に装着し紐部を引き出した状態の正面図、その右側面図、その背面図および携帯電話の範囲ないにスライドさせた状態の背面図。
【図６】本発明を実施するための最良の第３の実施の形態の携帯電話に装着し紐部を引き出した状態の正面図、着脱パーツを分離した状態のその右側面図、その背面図および紐部を全部引き込み携帯電話の範囲ないにスライドさせた状態の背面図。
【図７】本発明を実施するための最良の第３の実施の形態の移動係留体の内部構造を示すロック状態時の断面図。
【図８】本発明を実施するための最良の第４の実施の形態の携帯電話に装着し紐部を引き出した状態の正面図、着脱パーツを分離した状態のその右側面図、その背面図および紐部を全部引き込み携帯電話の範囲ないにスライドさせた状態の背面図。
【図９】本発明を実施するための最良の第５の実施の形態の分離状態の右側面図、携帯電話に貼り付け装着した状態の右側面図、その背面図、その携帯電話の範囲ないにスライドさせた状態の背面図。
【図１０】本発明を実施するための最良の第６の実施の形態の携帯電話に装着した状態の背面図および使用状態例図。
【図１１】本発明を実施するための最良の第７の実施の形態の分離状態の正面図、携帯電話に装着した状態の右側面図およびその背面図。
【図１２】本発明を実施するための最良の第８の実施の形態の正面図、少し開いた状態の右側面図、背面図、底面図および充電回路のブロック図。
【図１３】本発明を実施するための最良の第９の実施の形態の正面図、右側面図、背面図および底面図。
【図１４】従来技術を示す携帯電話をぶら下げた状態正面図および右側面図。
【符号の説明】
【００２３】
Ａ：携帯電話、
１：携帯電話等の携帯補助具、
２：電話本体、
３：ヒンジ部、
４ａ、４ｂ：補助具取付部、
５：電話等取付部、
６ａ、６ｂ：スライド嵌り凸部、
７：ループ側面ファスナー、
８：開閉体、
１１：フック側面ファスナー、
１２：携帯品振れ止め保持具、
１５：携帯電話等の携帯補助具、
１６ａ、１６ｂ：凸部スライド嵌り凹み部、
１７：補助具取付部、
２０：電話等取付部、
２１ａ、２１ｂ：スライド嵌り部、
２２：携帯電話等の携帯補助具、
２４ａ、２４ｂ：スライド嵌り凹み部、
２５：補助具取付部、
２６：バッテリーカバー、
２９：移動係留体、
３０：携帯電話等の携帯補助具、
３１：外駒、
３２：内駒、
３３ａ：右紐通し部、
３３ｂ：左紐通し部、
３４ａ：左紐部、
３４ｂ：右紐部、
３５：垂れループ部、
３６：紐部止め取付部、
３７：指掛けリング、
３８：絡み防止リング、
３９：紐部、
４２：補助具取付部、
４３：携帯電話等の携帯補助具、
４４：粘着部、
４７：携帯電話等の携帯補助具、
５０ａ、５０ｂ：フック、
５１ａ、５１ｂ：フック掛り穴、
５２：携帯電話等の携帯補助具、
５５：携帯電話、
５６：バッテリー、
５７：太陽電池、
５８：充電制御部、
６０：携帯電話、
２００：首掛け部、
２０１：紐部、
２０１ａ：左紐部、
２０１ｂ：右紐部、
２０２ａ：左引き出し口、
２０２ｂ：右引出し口、
２０３：移動係留体、
２０４ａ、２０４ｂ：紐受突起、
２０５：筐体、
２０６：筒部、
２０７：発条、
２０８：リール部位、
２０９：貫通孔、
２１０：押し込みボタン部、
２１１：ロック板、
２１２：ロック体、
２１３：圧縮コイルバネ、
２１４：裏板、
２１９ａ、２１９ｂ：ハンドストラップ形成止め部品、
２３０ａ、１３０ｂ：巻取り部、
２３１：リール部位、
２３２ａ：左紐部、
２３２ｂ：右紐部、
２３２：紐部、
２３３：着脱パーツ、
２３３ａ：雌パーツ、
２３３ｂ：雄パーツ、
２３４：首掛け部、
２３５：移動係留体、
２３８：紐部、
２３９：クリップ、
２４０：首掛け部。
【図１】
2008135997.tif 000003
【図２】
2008135997.tif 000004
【図３】
2008135997.tif 000005
【図４】
2008135997.tif 000006
【図５】
2008135997.tif 000007
【図６】
2008135997.tif 000008
【図７】
2008135997.tif 000009
【図８】
2008135997.tif 000010
【図９】
2008135997.tif 000011
【図１０】
2008135997.tif 000012
【図１１】
2008135997.tif 000013
【図１２】
2008135997.tif 000014
【図１３】
2008135997.tif 000015
【図１４】
2008135997.tif 000016
【手続補正書】
【提出日】平成19年11月19日(2007.11.19)
【手続補正１】
【補正対象書類名】特許請求の範囲
【補正対象項目名】全文
【補正方法】変更
【補正の内容】
【特許請求の範囲】
【請求項１】
首に掛ける首掛け部と、
この首掛け部を形成するないし該首掛け部の下部に設けられた紐部と、
この紐部を付勢巻き取り状態で引き出し引き込みして上下に移動可能とされあるいは該紐部を通して上下に移動可能とされ且つ好みの上下位置で留め置くことができる移動係留体と、
この移動係留体の下部に一体的に立ち下げられるように設けられた、携帯電話の操作ボタンを有する電話本体の裏側に設けられた終端が止め構造となったレール体からなる補助具取付部に下方側からスライド形態で嵌って着脱可能に取り付けられる電話取付部とからなることを特徴とする携帯電話の携帯補助具。
【請求項２】
首に掛ける首掛け部と、
この首掛け部を形成するないし該首掛け部の下部に設けられた紐部と、
この紐部を付勢巻き取り状態で引き出し引き込みして上下に移動可能とされあるいは該紐部を通して上下に移動可能とされ且つ好みの上下位置で留め置くことができる移動係留体と、
この移動係留体の下部に一体的に立ち下げられるように設けられた、携帯電話の操作ボタンを有する電話本体の左右側部にヒンジ部側から凹み形成された上方端が行き止め形態とされた補助具取付部にスライド形態で嵌って着脱可能に取り付けられる電話取付部と、
この電話取付部の左右に設けられた、前記補助具取付部にスライド形態で嵌る凸部からなるスライド嵌り凸部とからなることを特徴とする携帯電話の携帯補助具。
【請求項３】
移動係留体から引き出された紐部が一本の紐からなり、該紐部の端にはクリップが設けられてなることを特徴とする請求項１、２いずれか記載の携帯電話の携帯補助具。
【請求項４】
移動係留体が、開口容器型の外駒と、この外駒に可動可能に填め込まれた内駒と、前記外駒の上下方向に貫通した間隔を空けて設けられた右紐通し部、左紐通し部と、前記内駒に設けられた前記右紐通し部、左紐通し部に通される紐をロックするロック部と、前記内駒の中央に形成されたスプリング入れ部に入れられた該内駒を押し出し付勢状態とする圧縮コイルバネと、前記右紐通し部、左紐通し部に通された左紐部、右紐部の下方が垂れ出て形成された垂れループ部の先端を合わせ止めている移動係留体の横に設けられた紐部止め取付部とからなることを特徴とする請求項１、２いずれか記載の携帯電話の携帯補助具。
【請求項５】
携帯電話の操作ボタンを有する電話本体と、
この電話本体の裏側に設けられた該電話本体を主に首から下げるための携帯補助具の電話取付部をスライド形態で嵌めて着脱自在に取り付けられる終端が止め構造となったレール体からなる補助具取付部とからなることを特徴とする携帯電話。
【手続補正２】
【補正対象書類名】明細書
【補正対象項目名】全文
【補正方法】変更
【補正の内容】
【発明の詳細な説明】
【技術分野】
【０００１】
本発明は、携帯電話、携帯電話を首から下げる携帯電話の携帯補助具および携帯電話に関する。
【背景技術】
【０００２】
従来の付勢巻取り装置を有するネックストラップ装置には以下に述べるものがある。
（１）図１４示す携帯電話４９８の携帯補助具４９９が販売されている。
携帯電話の携帯補助具４９９は発条の不勢力により巻取り付勢回転をするリール部位（図示せず）が内設された筐体５００と、この筐体５００の上部に空けられた紐引出し口５０１、紐引出し口５０２と、前記リール部位に重ね形態で巻き取られてなる平紐形態の首掛け紐５０３と、この首掛け紐５０３の一方の側が紐引出し口５０１に通され引き出されてなるループ形成部５０４ａ、首掛け紐５０３の他方の側が紐引出し口５０２に通され引き出されてなるループ形成部５０４ｂとからなる首掛けループ部５０５と、筐体５００の中央に設けられた指で押し込むとリール部位のロックが解除されて該リール部位が回転自在となり指を離すと付勢力により戻ってリール部位を回転しないようにロックするように動作するロック解除ボタン５０６と、筐体５００の下部に設けられた携帯品吊り掛け部５０７と、携帯電話４９８に取り付けるナス環５１０を有する吊り細紐５０８と、リール部位と筐体５００とからなるリール本体５０９（移動係留体）と、とからなっている。
携帯電話の携帯補助具４９９と同様な携帯の発明が特許文献１、２、３に開示されている。
（２）  特許文献１に、筐体と、この筐体に固定され内側に突出した固定軸と、この固定軸に内端を固定してなる発条と、この発条の外端を固定してその戻り付勢力により付勢巻取り回転するリール部位（巻取りドラム）と、このリール部位に両端を固定して２重巻き形態で該リール部位に巻取られる細帯状や丸紐状の首掛けループを形成してなる巻取り紐（帯紐）と、筐体の中央に設けられた、押すとロックが解除されて付勢巻取り状態となり離すとロックされてリール部位の回転が止められるようにしてなるロックボタン機構と、された筐体の下部から下げられたループ細紐からなる携帯電話などを吊り下げるためのループ細紐（松葉）と、とからなる発明が開示されている。
（３）  特許文献２に次の２つの発明が開示されている。
図３には二重重ねとされた首に掛けるループを形成しているストラップ２の両端が別々の引き出し口からケース内のストラップ巻取りドラム６に付勢巻き取られ、ロック・ロック解除機構の無い構成の携帯保持具が開示されている。
ロック・ロック解除機構については、図３のものと同じ巻取り機構の図２の説明において「図示しない固定機構によりストラップ２を固定する。引き出したストラップ２は、図１で説明したように、係止部材３で取り付けた小型機器に対するハンドストラップやショルダーストラップとして使用することができる。固定機構を解除することにより、ストラップ２は駆動バネ７の蓄勢力によってストラップ巻取ドラム６に自動的に巻き込まれ、ケース内に収納される。」と記載されているのみである。少なくとも図３の構造からはケース正面中央に押し込み式のロックボタンを設ける構造は想起できないものであり、図１２に示された操作レバー回動ロック・ロック解除構成のみである。
（４）  特許文献３に、巻取りケース２内のリール部位に首に掛けるループを形成するストラップ３を巻取り収納し、巻取りケース２にストラップ３の一方の側を通し外に出している穴２ａを設け、ストラップ３のもう一方の側を通し外に出している穴２ｂを穴２ａから離して設け、巻取りケース２の正面真中に収納ボタン４（ロック・ロック解除ボタン）を設けた発明が開示されている。
収納ボタン４によるロック・ロック解除機構については、「リール部位には、紐の巻き取り状態を調節するために適宜停止でき、首掛け紐３を任意の長さで設定できる収納ボタンが設けられている。そのために、リール部位は、渦巻きバネ、コイルバネ等により、首掛け紐３を巻取軸に完全巻き取り状態に設定しておき、前記巻取軸に設けた一方向回転停止爪（或いは、一方向クラッチ）を用いて、巻取軸を任意の位置で停止できるようにしておく。収納ボタン４は、上記一方向回転停止爪（或いは、一方向クラッチ）の解除に連動している。」「携帯電話１をバッグなどに収納するときには、収納ボタン４の押圧により、一方向回転停止爪（或いは、一方向クラッチ）を解除して、図３（Ｂ）に示すように、首掛け紐３の一部を残して、リール部位の巻取軸に巻き取る。この状態では、首掛け紐３が巻取ケース２にほとんど収納されて携帯電話１と巻取ケース２だけになる。携帯電話１を首に掛けるときには、巻取ケース２から首掛け紐３をつまみ出して適宜の長さで引っ張り出して（図３（Ａ））、首に掛け、その後、収納ボタン４をオンして再度巻き取るなどして首掛け紐３の長さを調節すればよい。」「首掛け紐３の巻き取り駆動は、渦巻きバネ或いはコイルバネ等を用いた機械式の例を示したが、モータとスイッチを用いた電気式としてもよいことは言うまでもない。」という記載のみとなっており、その機構について図示は何らされていない。
【０００３】
【特許文献１】実用新案登録第３０７０７８９号公報
【特許文献２】特開平９−２９９１２８号公報
【特許文献３】特開２００２−２４７１６７号公報
【非特許文献１】特になし
【発明の開示】
【発明が解決しようとする課題】
【０００４】
上述した従来技術はいずれも、筐体の下部に設けた掛け部に携帯電話に取り付けた吊り細紐を掛ける、あるいは筐体の下部に設けられた吊り細紐に携帯電話を取り付けるという形態での使用となるものであり、このような形態では以下に述べるような欠点を有するものであった。
（１）  携帯電話をリール本体（移動係留体）の下方に４ｃｍ〜６ｃｍの吊り細紐で吊り下げる形態であるので、リール本体を首に付くような部位ないし首に近い部位まで上げ留め置いて場合においては、リール本体は小さな振れか殆ど振れない状態にあっても、吊り細紐により携帯電話が左右に前後に大きく激しく振れる、携帯電話が回転してしまうという欠点を有するものであった。
（３）  吊り細紐で携帯電話の荷重を一心に受け吊り続ける形態であり、振れや回転が常に生じる形態であるので、吊り細紐の磨耗が激しくその寿命が短くなってしまうという欠点を有するものであった。
（４）首から外した場合は首掛け紐は全部筐体内に収まるのであるが、リール本体は４ｃｍ〜６ｃｍの吊り細紐に繋がれただけの四方八方に無軌道にぶらつき動く状態であり、携帯電話をバックに収納しての取り出し、ポケットに収納しての取り出しの邪魔になったりするという欠点を有するものである。
（５）携帯電話の移動係留体への取り付けが小さなナス環などの取付金具によるものなので、お年寄りや指の不自由なひとなどは素早く軽快に取り付け取り外しができ難いという欠点を有するものであった。
（６）首から外した場合は首掛け紐は全部筐体内に収まるのであるが、首から吊らないで手に持っての操作においては落下の危険を防ぐために、別途ハンドストラップを携帯電話に取り付けなれればならないという欠点を有するものであった。
（７）携帯電話がちょっとした身体の動きで動いてしまうので、折畳式携帯電話を直角に開いてハンズフリーでテレビを看る、文章を読むなどのことはできないという欠点を有するものであった。
（８）首から下げた携帯電話を振れないようにするためには、電話本体の裏側に粘着剤付きループ側面ファスナーを貼り付け、着衣側にフック側面ファスナーを設けて、この面ファスナーの係着により携帯電話を着衣に振れないように保持する方法が考えられるが、携帯電話の裏面をエチルアルコールや中性洗剤などで拭き取って脂分などを除去する作業が必要であること、面ファスナーの貼り付けが真っ直ぐ行かないで傾いた貼り付けになってしまう可能性が大きいこと、置き型の充電器へのセットができなくなってしまうことがあること、バッテリーカバーと電話本体にわたって面ファスナーが貼り付けられて電池交換の場合は面ファスナーを剥がし新しいものを新に貼り付けなければならない、などの欠点を有するものであった。
【０００５】
本発明は以上のような従来技術の欠点に鑑みてなされたものであって、首から下げた状態で上下に移動自在にでき且つ好みの上下位置に係留でき、リール本体などの移動係留体を首に近い部位まで上げ留め置いた状態においては携帯電話の振れの小さい回転しない振れとでき、スライド形態で携帯電話に取り付けられるので、スライド形態で取外すことができ、携帯電話への取りつけ取り外しが素早く簡単にできる携帯電話の携帯補助具を提供することを目的としている。
・  また本発明の他の目的は、リール本体などの移動係留体を有する携帯電話の携帯補助具を略一体化的形態で着脱自在且に取り付けられるとともに、横幅の相違する機種でも携帯電話の携帯補助具を変えることなく使用を可能とする携帯電話を提供することを目的としている。
【０００６】
本発明の前記ならびのそのほかの目的と新規な特徴は次の説明を添付図面と照らし合わせて読むと、より完全に明らかになるであろう。ただし、図面はもっぱら解説のためであって、本発明の技術的範囲をそれらに限定するものではない。
【課題を解決するための手段】
【０００７】
上記目的を達成するために本発明は次に述べるような構成となっている。
（請求項１記載の発明）
首に掛ける首掛け部と、この首掛け部を形成するないし該首掛け部の下部に設けられた紐部と、この紐部を付勢巻き取り状態で引き出し引き込みして上下に移動可能とされあるいは該紐部を通して上下に移動可能とされ且つ好みの上下位置で留め置くことができる移動係留体と、この移動係留体の下部に一体的に立ち下げられるように設けられた、携帯電話の操作ボタンを有する電話本体の裏側に設けられた終端が止め構造となったレール体からなる補助具取付部に下方側からスライド形態で嵌って着脱可能に取り付けられる電話取付部とで携帯電話の携帯補助具を構成している。
（請求項２記載の発明）
首に掛ける首掛け部と、この首掛け部を形成するないし該首掛け部の下部に設けられた紐部と、この紐部を付勢巻き取り状態で引き出し引き込みして上下に移動可能とされあるいは該紐部を通して上下に移動可能とされ且つ好みの上下位置で留め置くことができる移動係留体と、この移動係留体の下部に一体的に立ち下げられるように設けられた、携帯電話の操作ボタンを有する電話本体の左右側部にヒンジ部側から凹み形成された上方端が行き止め形態とされた補助具取付部にスライド形態で嵌って着脱可能に取り付けられる電話取付部と、この電話取付部の左右に設けられた、前記補助具取付部にスライド形態で嵌る凸部からなるスライド嵌り凸部とからなる携帯電話の携帯補助具を構成している。
（請求項３記載の発明）
請求項１、２いずれか記載の発明の構成において、移動係留体から引き出された紐部が一本の紐からなり、該紐部の端にはクリップが設けられてなる携帯電話の携帯補助具を構成している。
（請求項４記載の発明）
請求項１、２いずれか記載の発明の構成において、移動係留体が、開口容器型の外駒と、この外駒に可動可能に填め込まれた内駒と、前記外駒の上下方向に貫通した間隔を空けて設けられた右紐通し部、左紐通し部と、前記内駒に設けられた前記右紐通し部、左紐通し部に通される紐をロックするロック部と、前記内駒の中央に形成されたスプリング入れ部に入れられた該内駒を押し出し付勢状態とする圧縮コイルバネと、前記右紐通し部、左紐通し部に通された左紐部、右紐部の下方が垂れ出て形成された垂れループ部の先端を合わせ止めている移動係留体の横に設けられた紐部止め取付部とからなる携帯電話の携帯補助具を構成している。
（請求項５記載の発明）
携帯電話の操作ボタンを有する電話本体と、この電話本体の裏側に設けられた該電話本体を主に首から下げるための携帯補助具の電話取付部をスライド形態で嵌めて着脱自在に取り付けられる終端が止め構造となったレール体からなる補助具取付部とで携帯電話を構成している。
【発明の効果】
【０００８】
以上の説明から明らかなように、本発明にあっては次に列挙する効果が得られる。
（請求項１記載の発明の効果）
首に掛ける首掛け部と、この首掛け部を形成するないし該首掛け部の下部に設けられた紐部と、この紐部を付勢巻き取り状態で引き出し引き込みして上下に移動可能とされあるいは該紐部を通して上下に移動可能とされ且つ好みの上下位置で留め置くことができる移動係留体と、この移動係留体の下部に一体的に立ち下げられるように設けられた、携帯電話の操作ボタンを有する電話本体の裏側に設けられた終端が止め構造となったレール体からなる補助具取付部に下方側からスライド形態で嵌って着脱可能に取り付けられる電話取付部とで携帯電話の携帯補助具を構成しているので、次に述べるような効果を奏する。
すなわち、
「移動係留体の下部に一体的に立ち下げられるように設けられた、携帯電話の操作ボタンを有する電話本体の裏側に設けられた終端が止め構造となったレール体からなる補助具取付部に下方側からスライド形態で嵌って着脱可能に取り付けられる電話取付部」を設けた構成によって、移動係留体を首に近い部位まで上げ留め置いた状態においては携帯電話は移動係留体と略一体的な形態とされているので、携帯電話が移動係留体と無関係に振れることはなくその振れを小さい回転しない振れとでき、首から外して手で操作する場合やバックやポケットに収納する場合には、移動係留体が四方八方に無軌道にぶらつくことがないので、ポケットやバックに入れての携帯（携行）や手に持っての操作がで移動係留体が殆ど邪魔にならずに行うことができるとう効果を奏する。
また、スライド距離を長くすることにより、移動係留体を携帯電話の近接した部位ないし携帯電話の筐体範囲内にその全部なり一部を隠すような、突き出しの小さいないし隠れた形態およびぶらつかない形態とできるので、ポケットやバックに入れての携帯（携行）や手に持っての操作がで移動係留体が殆ど邪魔にならずに行うことができるという効果を奏する。
また、スライド形態で携帯電話に取り付けられるので、スライド形態で取外すことができ、携帯電話への取りつけ取り外しが素早く簡単にできるという効果を奏する。
（請求項２記載の発明の効果）
首に掛ける首掛け部と、この首掛け部を形成するないし該首掛け部の下部に設けられた紐部と、この紐部を付勢巻き取り状態で引き出し引き込みして上下に移動可能とされあるいは該紐部を通して上下に移動可能とされ且つ好みの上下位置で留め置くことができる移動係留体と、この移動係留体の下部に一体的に立ち下げられるように設けられた、携帯電話の操作ボタンを有する電話本体の左右側部にヒンジ部側から凹み形成された上方端が行き止め形態とされた補助具取付部にスライド形態で嵌って着脱可能に取り付けられる電話取付部と、この電話取付部の左右に設けられた、前記補助具取付部にスライド形態で嵌る凸部からなるスライド嵌り凸部とからなる携帯電話の携帯補助具を構成しているので、次に述べるような効果を奏する。
すなわち、
請求項１記載の発明の効果と同様な効果を奏する。
（請求項３記載の発明の効果）
請求項１、２いずれか記載の発明の構成において、移動係留体から引き出された紐部が一本の紐からなり、該紐部の端にはクリップが設けられてなる携帯電話の携帯補助具を構成しているので、次に述べるような効果を奏する。
すなわち、
請求項１、２いずれか記載の発明の効果と同様な効果を奏する。
（請求項４記載の発明の効果）
請求項１、２いずれか記載の発明の構成において、移動係留体が、開口容器型の外駒と、この外駒に可動可能に填め込まれた内駒と、前記外駒の上下方向に貫通した間隔を空けて設けられた右紐通し部、左紐通し部と、前記内駒に設けられた前記右紐通し部、左紐通し部に通される紐をロックするロック部と、前記内駒の中央に形成されたスプリング入れ部に入れられた該内駒を押し出し付勢状態とする圧縮コイルバネと、前記右紐通し部、左紐通し部に通された左紐部、右紐部の下方が垂れ出て形成された垂れループ部の先端を合わせ止めている移動係留体の横に設けられた紐部止め取付部とからなる携帯電話の携帯補助具を構成しているので、次に述べるような効果を奏する。
すなわち、
請求項１、２いずれか記載の発明の効果と同様な効果を奏する。
（請求項５記載の発明の効果）
携帯電話の操作ボタンを有する電話本体と、この電話本体の裏側に設けられた該電話本体を主に首から下げるための携帯補助具の電話取付部をスライド形態で嵌めて着脱自在に取り付けられる終端が止め構造となったレール体からなる補助具取付部とで携帯電話を構成しているので、次に述べるような効果を奏する。
すなわち、
請求項１〜４に記載の発明の携帯電話の携帯補助具を素早く容易にスライドさせて取り付け且つスライドさせて素早く取り外すことができるという効果を奏する。
また、補助具取付部を電話本体の裏側に設けた構成としたので、幅の相違する多種類の携帯電話に共通した規格の補助具取付部とすることが可能となり、携帯電話を変えるごとに携帯電話の携帯補助具を購入したり添付したりすることをしなくてすみ、経済的負担の軽減および資源の浪費を軽減するという効果を奏する。
【発明を実施するための最良の形態】
【０００９】
以下、図面に示す発明を実施するための最良の形態により、本発明を詳細に説明する。但し、発明をそれらのみに限定するものではない。
また、後述する実施の形態の説明にあたって前述した実施の形態と同一構成部分には同一符号を付して重複する説明を省略する。
【００１０】
＜第１の実施の形態＞
図１〜図４に示す本発明を実施するための最良の第１の実施の形態において１は携帯電話の携帯補助具であって、携帯電話の携帯補助具１は首に掛ける首掛けループに形成される首掛け部２００と、この首掛け部２００を形成する１本の薄平紐部材からなる左紐部２０１ａ、右紐部２０１ｂと、
左紐部２０１ａ、右紐部２０１ｂを付勢巻き取り状態で該２０１ａを左引き出し口２０２ａから該２０１ｂを右引き出し口２０２ｂから引き出し引き込みして上下に移動可能とされ且つ好みの上下位置で留め置くことができるロックＯＮ・ＯＦＦ機能付き付勢巻取りリール構造の移動係留体２０３と、
この移動係留体２０２の下部に一体的に立ち下げられるように設けられた、０．２ｍｍ〜０．５ｍｍ厚程度の薄板部材かなる、折畳式携帯電話Ａの電話本体２の左右側部にヒンジ部３側（図では下方から）から凹み形成された図では上方端が行き止め形態とされた補助具取付部４ａ、４ｂにスライド形態で着脱可能に取り付けられる電話取付部５と、
この電話取付部５の左右に設けられた、補助具取付部４ａ、４ｂに弱滑り止めスライド形態で嵌る凸部からなるスライド嵌り凸部６ａ、６ｂと、
電話取付部５の裏側に設けられたループ側面ファスナー７とからなっている。
移動係留体２０３の電話取付部５との位置関係は、図のように後部側が最良であるが、移動係留体２０３と電話取付部５の間の狭くしてなる首部９を撓りる形態とすることにすれば、中央部や前部側の位置とするのもよい。
【００１１】
図４に示すように移動係留体２０３は次のような構成となっている。
裏側が全面開口された筐体２０５と、
この筐体２０５の表板の中心に設けられた筒部２０６と、
この筒部２０６に内端を固定して設けられた発条２０７と、
この発条２０７を内側にしてその外端を固定させて該２０７の巻取り不勢力により付勢巻取り回転するリール部位２０８と、
このリール部位２０８に重ね状態で巻取られた一本の紐から形成された左紐部２０１ａ、右紐部２０１ｂと、
筐体２０５の上部の左側に設けられた左紐部２０１ａを引き出し引き込む左引き出し口２０２ａ、筐体２０５の上部の右側に設けられた右紐部２０１ｂを引き出し引き込む右引き出し口２０２ｂと、
左引き出し口２０２ａの内側部位に外側に突出するように設けられた紐部２０１を受ける紐受突起２０４ａ、右引き出し口２０２ｂの内側部位に外側に突出するように設けられた紐受突起２０４ａとで紐部２０２を受ける紐受突起２０４ｂと、
筒部２０６の貫通孔２０９と、
貫通孔２０９に筐体２０５を摘んだ指で押し込み可動可能に入れられた中空形態の押し込みボタン部２１０、この押し込みボタン部２１０の背部に該２１０と一体的に設けられた広鍔形態のリール部位２０８に当接してその付勢回転を止めるロック板２１１とからなるロック体２１２と、
押し込みボタン部２１０の内部に設けられた押し出し付勢手段である圧縮コイルバネ２１３と、
筐体２０５の裏側開口を接着や溶着などにより塞ぐ裏板２１４と、とからなっている。
筐体２０５（リール本体、移動係留体本体）を指で摘み、その指で押し込みボタン部２１０を押し込むと圧縮コイルバネ２１３の付勢力に抗してリール部位２０８に付勢当接していたロック板２１１が移動してリール部位２０８から離れロック状態が解除される。押し込みボタン部２１０を押し込んだ状態のまま筐体２０５を上下に移動操作を自在に行うことができる。押し込みボタン部２１０を開放すると圧縮コイルバネ２１３の押し出し付勢力によりロック板２１１がリール部位２０８に付勢当接して発条２０７による付勢巻取り回転を止めロックして、その部位に筐体２０５を止め置く（係留する）。
紐受突起２０４ａ、２０４ｂにより紐部２０１は最大巻き取り状態でも筐体２０５から少し離れた状態となっているので、紐部２０１を指で確りと掛け摘みすることが簡単にでき、紐部２０１の摘み引き出し操作がし易い。
携帯電話Ａの表側となる開閉体８にはディスプレーが設けられている。
リール部位２０８は紐部を巻き取り収納するように図において上下に仕切り壁を有しているが、この仕切り壁の両壁ないし上部壁を設けない構成とするのもよい。このような構成とすることにより、筐体をより薄いものとできる。
【００１２】
図３において、着衣の前立て部位に、フック側面ファスナー１１を表側に設け、裏側にクリップ（図示せず）を設けた携帯品振れ止め保持具１２を係止している。
首から下げた携帯品等の携帯補助具１を装着した携帯電話Ａを携帯品振れ止め保持具１２の位置まで下ろし、フック側面ファスナー１１にループ面ファスナー７を係着させ携帯電話Ａを着衣上に振れないように保持している。
【００１３】
＜第２の実施の形態＞
図５に示す本発明を実施するための最良の第２の実施の形態において前記第１の実施の形態と主に異なる点は、紐部２０１で該紐部２０１が最大限リール部位２０８に巻き取られた状態において、筐体２０５の外側にハンドストラップ部位が残り形成されるように、左紐部２０１ａと右紐部２０１ｂの部位にハンドストラップ形成止め部品２１９ａ、２１９ｂを設け、電話取付部５を携帯電話Ａより幅の狭い形態としてなる携帯電話の携帯補助具１５を形成した点にある。
携帯電話Ａの裏側には該裏側の横幅よりある程度狭い形態の外側部にスライド嵌り凸部６ａ、６ｂが嵌る終端が止め構造となった凸部スライド嵌り凹み部１６ａ、１６ｂが形成された１対のレール体からなる補助具取付部１７が形成されている。
補助具取付部を電話本体よりもある程度幅の狭い形態とすることにより、機種の違う携帯電話においても補助具取付部を規格化された共通構造とすることが可能となり、携帯電話の携帯補助具をどの種類の携帯電話にでも装着できるようにすることができる。
【００１４】
＜第３の実施の形態＞
図６、図７に示す本発明を実施するための最良の第３の実施の形態において前記第１の実施の形態と主に異なる点は移動係留体を、巻取り部２３０ａ、１３０ｂを有する２層リール形式のリール部位２３１とし、巻取り部２３０ａ、１３０ｂには直径が略１ｍｍ〜３ｍｍ太さの左紐部２３２ａ、右紐部２３２ｂが巻かれて紐部２３２を形成し、左引出し口２０２ａから引き出された左紐部２３２ａの先端には着脱パーツ２３３の雌パーツ２３３ａが取り付けられ、右引出し口２０２ｂから引き出された右紐部２３２ｂの先端には着脱パーツ２３３の雌パーツ２３３ａが取り付けられ、１０ｍｍ幅の平紐ないし平ソフトゴム紐からなる首掛け部２３４の両先端には雌パーツ２３３ａに連結される雄パーツ２３３ｂ、２３３ｂが設けられ、左紐部２３２ａ、右紐部２３２ｂに着脱自在に連結されるようになっていて、押し込みボタン部２１０を裏側に配した構成とした移動係留体２３５とし、電話取付部を平プレート形態の電話取付部２０とし該２０の左右側端部位をスライド嵌り部２１ａ、２１ｂとした携帯電話の携帯補助具２２を形成した点にある。
雌パーツ２３３ａと雄パーツ２３３ｂは着脱自在に連結され、略２ｋｇの引張り負荷がかかると外れる安全パーツとなっている。
首掛け部２３４の長さ分だけ左紐部２３２ａ、右紐部２３２ｂを短くでき、移動係留体の小型化を実現できる。
左紐部２３２ａ、右紐部２３２ｂは同一方向でリール部位２３１に巻き取られている。
携帯電話Ａの裏側には該裏側の横幅よりある程度狭い形態の内側部にスライド嵌り部２１ａ、２１ｂが嵌る終端が止め構造となったスライド嵌り凹み部２４ａ、２４ｂが形成された１対のレール体からなる補助具取付部２５が形成されている。
補助具取付部２５はバッテリーカバー２６に形成され部位と電話本体２に形成された部位とで構成されている。
【００１５】
＜第４の実施の形態＞
図８に示す本発明を実施するための最良の第４の実施の形態において前記第３の実施の形態と主に異なる点は、移動係留体を移動係留体２９とした携帯電話の携帯補助具３０とした点にある。
移動係留体２９は、
開口容器型の外駒３１と、
この外駒に可動可能に填め込まれた内駒３２と、
外駒３１の上下方向に貫通した間隔を空けて設けられた右紐通し部３３ａ、左紐通し部３３ｂと、
内駒３２に設けられた設けられた右紐通し部３３ａ、左紐通し部３３ｂに通される紐をロックするロック部（図示せず）と、
内駒３２の中央に形成されたスプリング入れ部に入れられた該３２を押し出し付勢状態とする圧縮コイルバネ（図示せず）と、とからなっている。
右紐通し部３３ａ、左紐通し部３３ｂには１ｍｍ〜３ｍｍ太さ程度の左紐部３４ａ、右紐部３４ｂが通され、その上方に出た端には雌パーツ２３３ａがそれぞれ取り付けられ、下方に垂れ出た部位は垂れループ部３５を形成されて先端は合わされて移動係留体２９の横に設けられた紐部止め取付部３６に止められている。
リール部位２０８は紐部を巻き取り収納するように図において上中下に仕切り壁を有しているが、この仕切り壁の上下両壁ないし上部壁を設けない構成とするのもよい。このような構成とすることにより、筐体をより薄いものとできる。
右紐通し部３３ａ、左紐通し部３３ｂの垂れループ部位３６には２本を合わせるようにゴム製リング（オイルシールゴムリングを使用）からなる指掛けリング３７が設けられ、この指掛けリング３７の上方に右紐通し部３３ａ、左紐通し部３３ｂの昇り降り部位の４本の紐を通してなるゴム製リングからなる絡み防止リング３８が設けられている。
ゴム製リングとすることにより、携帯電話にぶつかっても音の生じないという効果を奏する。技術思想は携帯電話にぶつかっても音の発生しないないし微音である衝突音非発生部材を指掛けリングとしたところにある。
【００１６】
＜第５の実施の形態＞
図９に示す本発明を実施するための最良の第５の実施の形態において前記第３の実施の形態と主に異なる点は、補助具取付部２５を携帯電話Ａとは別体の形態である補助具取付部４２としてなる携帯電話の携帯補助具４３を形成した点にある。
補助具取付部４２には粘着剤が設けられた粘着部４４を設けている。
【００１７】
＜第６の実施の形態＞
図１０に示す本発明を実施するための最良の第６の実施の形態において前記第１の実施の形態と主に異なる点は、筐体２０５から引き出された紐部２３８は一本の紐からなり、紐部２３８の端にはクリップ２３９を設け、紐部２３８が首掛け部２４０を形成してなる携帯電話の携帯補助具４７を形成した点にある。
図１０の右図のように紐部２３８を首に回してクリップ２３９を着衣の前立て部位などに止めて、携帯電話Ｋは胸ポケットに入れる、あるいは携帯品振れ止め保持具１２に係止保持して携帯（携行）する。
【００１８】
＜第７の実施の形態＞
図１１に示す本発明を実施するための最良の第６の実施の形態において前記第３の実施の形態と主に異なる点は、移動係留体２３５と電話取付部２０を分離した形態とし、移動係留体２３５の下部に２つのフック５０ａ、５０ｂを設け、電話取付部２０の首部９の上部にフック５０ａ、５０ｂに掛るフック掛り穴５１ａ、５１ｂを設けてなる携帯電話の携帯補助具５２を形成した点にある。
フック５０ａ、５０ｂを電話取付部２０の側に設け、フック掛り穴５１ａ、５１ｂを移動係留体２３５の側に設けた形態もよい。
このような、僅かな振れが生じる取り付け形態も「リール本体などの移動係留体を有する携帯電話の携帯補助具を略一体化的形態で着脱自在且に取り付けられる」とい技術的範疇に入るものである。
【００１９】
＜第８の実施の形態＞
図１２に示す本発明を実施するための最良の第７の実施の形態において５５は折畳式の携帯電話であって、この携帯電話５５は内側に操作ボタンを有する電話本体２と、この電話本体２にヒンジ部３により開閉自在に設けられたディスプレーを内側に有する開閉体８と、電話本体２の裏側に設けられた該２の横幅よりある程度狭い形態の内側部に第３の実施の形態の携帯電話の携帯補助具２２のスライド嵌り部２１ａ、２１ｂが嵌る終端が止め構造となったスライド嵌り凹み部２４ａ、２４ｂが形成された１対のレール体からなる補助具取付部２５と、バッテリー５６と、開閉体８の表に設けられた太陽電池５７と、この太陽電池により発生した電気を前記バッテリー５６に充電する様にするための充電制御部５８と、とからなり、開閉体８が略直角状態で停止させることができ、この略直角停止状態が歩行動作程度の軽い身体動作による振動程度ではその停止状態を維持する停止強さである、以上のような構成となっている。
【００２０】
＜第９の実施の形態＞
図１３に示す本発明を実施するための最良の第９の実施の形態において前記第８の実施の形態と主に異なる点は、第２の実施の形態の携帯電話の携帯補助具１５のスライド嵌り部６ａ、６ｂが嵌る終端が止め構造となったスライド嵌り凹み部１６ａ、１６ｂが形成された補助具取付部１７を設けてなる携帯電話６０を形成した点にある。
スライド嵌り部の形態には上記以外にも以下のような形態が考えられる。
電話本体の裏側に幅広の凹み部を形成しその両側に凹み形態のスライド嵌り部を設ける形態。
電話本体の裏側に幅広長い形態の凸平部を設け、この凸平部の下方からスライド挿入部となる穴を形成し、携帯電話の携帯補助具の電話取付部をスライド挿入部に挿入する折り返し形態に形成された挿入部を設ける形態。
穴形態のスライド嵌り部は平穴形態、２つ穴形態などがあり、電話取付部もこれに対応した形態となる。
【産業上の利用可能性】
【００２１】
本発明は携帯電話などの携帯補助具や携帯電話を製造する産業で利用される。
【図面の簡単な説明】
【００２２】
【図１】本発明を実施するための最良の第１の実施の形態の携帯電話に装着し紐部を引き出した状態の正面図、その右側面図、その背面図および紐部を全部引き込み携帯電話の範囲ないにスライドさせた状態の背面図。
【図２】本発明を実施するための最良の第１の実施の形態の紐部を引き出した状態の正面図、その右側面図、その背面図、紐部を全部引き込んだ状態の平面図およびその底面図。
【図３】本発明を実施するための最良の第１の実施の形態の使用状態例図。
【図４】本発明を実施するための最良の第１の実施の形態の移動係留体の内部構造を示すロック状態時の断面図、ロック解除状態の断面図および裏板を取り外した状態の背面図。
【図５】本発明を実施するための最良の第２の実施の形態の携帯電話に装着し紐部を引き出した状態の正面図、その右側面図、その背面図および携帯電話の範囲ないにスライドさせた状態の背面図。
【図６】本発明を実施するための最良の第３の実施の形態の携帯電話に装着し紐部を引き出した状態の正面図、着脱パーツを分離した状態のその右側面図、その背面図および紐部を全部引き込み携帯電話の範囲ないにスライドさせた状態の背面図。
【図７】本発明を実施するための最良の第３の実施の形態の移動係留体の内部構造を示すロック状態時の断面図。
【図８】本発明を実施するための最良の第４の実施の形態の携帯電話に装着し紐部を引き出した状態の正面図、着脱パーツを分離した状態のその右側面図、その背面図および紐部を全部引き込み携帯電話の範囲ないにスライドさせた状態の背面図。
【図９】本発明を実施するための最良の第５の実施の形態の分離状態の右側面図、携帯電話に貼り付け装着した状態の右側面図、その背面図、その携帯電話の範囲ないにスライドさせた状態の背面図。
【図１０】本発明を実施するための最良の第６の実施の形態の携帯電話に装着した状態の背面図および使用状態例図。
【図１１】本発明を実施するための最良の第７の実施の形態の分離状態の正面図、携帯電話に装着した状態の右側面図およびその背面図。
【図１２】本発明を実施するための最良の第８の実施の形態の正面図、少し開いた状態の右側面図、背面図、底面図および充電回路のブロック図。
【図１３】本発明を実施するための最良の第９の実施の形態の正面図、右側面図、背面図および底面図。
【図１４】従来技術を示す携帯電話をぶら下げた状態正面図および右側面図。
【符号の説明】
【００２３】
Ａ：携帯電話、
１：携帯電話の携帯補助具、
２：電話本体、
３：ヒンジ部、
４ａ、４ｂ：補助具取付部、
５：電話取付部、
６ａ、６ｂ：スライド嵌り凸部、
７：ループ側面ファスナー、
８：開閉体、
１１：フック側面ファスナー、
１２：携帯品振れ止め保持具、
１５：携帯電話の携帯補助具、
１６ａ、１６ｂ：凸部スライド嵌り凹み部、
１７：補助具取付部、
２０：電話取付部、
２１ａ、２１ｂ：スライド嵌り部、
２２：携帯電話の携帯補助具、
２４ａ、２４ｂ：スライド嵌り凹み部、
２５：補助具取付部、
２６：バッテリーカバー、
２９：移動係留体、
３０：携帯電話の携帯補助具、
３１：外駒、
３２：内駒、
３３ａ：右紐通し部、
３３ｂ：左紐通し部、
３４ａ：左紐部、
３４ｂ：右紐部、
３５：垂れループ部、
３６：紐部止め取付部、
３７：指掛けリング、
３８：絡み防止リング、
３９：紐部、
４２：補助具取付部、
４３：携帯電話の携帯補助具、
４４：粘着部、
４７：携帯電話の携帯補助具、
５０ａ、５０ｂ：フック、
５１ａ、５１ｂ：フック掛り穴、
５２：携帯電話の携帯補助具、
５５：携帯電話、
５６：バッテリー、
５７：太陽電池、
５８：充電制御部、
６０：携帯電話、
２００：首掛け部、
２０１：紐部、
２０１ａ：左紐部、
２０１ｂ：右紐部、
２０２ａ：左引き出し口、
２０２ｂ：右引出し口、
２０３：移動係留体、
２０４ａ、２０４ｂ：紐受突起、
２０５：筐体、
２０６：筒部、
２０７：発条、
２０８：リール部位、
２０９：貫通孔、
２１０：押し込みボタン部、
２１１：ロック板、
２１２：ロック体、
２１３：圧縮コイルバネ、
２１４：裏板、
２１９ａ、２１９ｂ：ハンドストラップ形成止め部品、
２３０ａ、１３０ｂ：巻取り部、
２３１：リール部位、
２３２ａ：左紐部、
２３２ｂ：右紐部、
２３２：紐部、
２３３：着脱パーツ、
２３３ａ：雌パーツ、
２３３ｂ：雄パーツ、
２３４：首掛け部、
２３５：移動係留体、
２３８：紐部、
２３９：クリップ、
２４０：首掛け部。